【誤訳訂正書】
【提出日】平成17年7月7日(2005.7.7)
【誤訳訂正１】
【訂正対象書類名】特許請求の範囲
【訂正対象項目名】全文
【訂正方法】変更
【訂正の内容】
【特許請求の範囲】
【請求項１】
無線通信システムにおいて、送信に対する目標受信信号品質を示す設定点を調整する方法であって、
前記送信から１つ以上のフレームを受信し、
前記受信された１つ以上のフレームを所定のデコードスキームにしたがってデコードして１つ以上のデコードフレームを提供し、
各デコードフレームの状況を決定し、
前記受信された１つ以上のフレームに対するデコード結果の信頼度を示す１つ以上のメトリックを取得し、
前記１つ以上のメトリックに少なくとも部分的に基づいて前記設定点を調整するようにした方法。
【請求項２】
請求項１に記載の方法において、
前記各デコードフレームに対し、前記設定点を調整するためのステップサイズを更に決定し、
前記決定されたステップサイズに基づいて前記設定点を調整するようにした方法。
【請求項３】
請求項２に記載の方法において、
前記ステップサイズは可変であり、前記１つ以上のメトリックに対する値に基づいている方法。
【請求項４】
請求項１に記載の方法において、
前記１つ以上のメトリックの各々は、それぞれの基準に基づいた前記デコード結果における信頼度を示している方法。
【請求項５】
請求項１に記載の方法において、
前記１つ以上のメトリックは、前記受信されたフレームにおけるシンボルと、前記デコードフレームを再デコードして生成されたシンボルとの間のエラーを示す再エンコードシンボルエラー率を含んでいる方法。
【請求項６】
請求項１に記載の方法において、
前記１つ以上のメトリックは、前記受信されたフレームにおけるシンボルと、前記デコードフレームを再エンコードして生成されたシンボルとの相関を示す再エンコード電力メトリックを含んでいる方法。
【請求項７】
請求項１に記載の方法において、
前記１つ以上のメトリックは、選択されたデコードフレームと、２番目に最良のデコードフレームとに基づくデコード結果の信頼度を示す修正ヤマモトメトリックを含んでいる方法。
【請求項８】
請求項１に記載の方法において、
前記１つ以上のメトリックは、デコードフレームにおけるデコード化ビットの信頼度を示す値を含んでいる方法。
【請求項９】
請求項１に記載の方法において、
前記１つ以上のメトリックは、ソフトな多重ビット値を有する少なくとも１つのメトリックを含んでいる方法。
【請求項１０】
請求項２に記載の方法において、
前記ステップサイズを、前記１つ以上のメトリックによって表されている前記デコード結果の信頼度に少なくとも部分的に基づいて決定するようにした方法。
【請求項１１】
請求項１０に記載の方法において、
前記１つ以上のメトリックが、前記デコード結果において高い信頼度を示している場合には、前記ステップサイズを増加するようにした方法。
【請求項１２】
請求項１０に記載の方法において、
前記１つ以上のメトリックが、前記デコード結果において低い信頼度を示している場合には、前記ステップサイズを減少するようにした方法。
【請求項１３】
請求項１に記載の方法において、
前記１つ以上のメトリックが、正しくデコードされたフレームに対しても、前記デコード結果において低い信頼度を示している場合には、前記設定点を増加するようにした方法。
【請求項１４】
請求項１に記載の方法において、
各デコードフレームの状況を、前記デコードフレームに含まれる周期的冗長性チェック（ＣＲＣ）に基づいて決定するようにした方法。
【請求項１５】
請求項１に記載の方法において、
各デコードフレームの状況は、前記フレームが正しくデコードされているか、あるいは正しくデコードされていない（消去された）かを示している方法。
【請求項１６】
請求項１に記載の方法において、
各デコードフレームについて、前記設定点より大きいフレームに対する受信信号品質を示している電力過剰であるか、または前記設定点より小さいフレームに対する受信信号品質を示している電力不足であるかを更に決定し、
前記電力過剰であるか又は電力不足であるかに部分的に基づいて前記設定点を調整するようにした方法。
【請求項１７】
請求項１６に記載の方法において、
各デコードフレームについて、前記１つ以上のメトリックと、前記電力過剰であるか又は電力不足であるかに少なくとも部分的に基づいて前記設定点を調整するステップサイズを更に決定し、
この決定されたステップサイズに基づいて前記設定点を調整するようにした方法。
【請求項１８】
請求項１に記載の方法において、
前記設定点と、所定の性能レベルを達成するために必要な閾信号品質との間の差違を表す設定点過剰または設定点不足を更に決定し、
前記設定点過剰であるか又は設定点不足であるかに部分的に基づいて前記設定点を調整するようにした方法。
【請求項１９】
請求項１８に記載の方法において、
各デコードフレームについて、前記１つ以上のメトリックと、前記設定点過剰であるか又は設定点不足であるかに少なくとも部分的に基づいて前記設定点を調整するステップサイズを更に決定し、
前記決定されたステップサイズに基づいて前記設定点を調整するようにした方法。
【請求項２０】
請求項１に記載の方法において
前記無線通信システムは、ｃｄｍａ２０００またはＷ−ＣＤＭＡ規格、またはその両方に適合するＣＤＭＡシステムである方法。
【請求項２１】
無線通信システムにおいて、送信に対する目標受信信号品質を示す設定点を調整する方法であって、
前記送信から１つ以上のフレームを受信し、
前記受信された１つ以上のフレームを所定のデコードスキームにしたがってデコードして１つ以上のデコードフレームを提供し、
各デコードフレームの状況を決定し、
前記設定点より大きい送信である受信信号品質を示している電力過剰であるか、または前記設定点より小さい送信である受信信号品質を示している電力不足であるかを更に決定し、
前記電力過剰であるか又は電力不足であるかと、前記決定された状況とに少なくとも部分的に基づいて前記設定点を調整するようにした方法。
【請求項２２】
請求項２１に記載の方法において、
前記フレームに対する平均受信信号品質と、前記フレームに対する設定点とに基づいて、受信された各フレームについて、前記電力過剰であるかまたは電力不足であるかを決定するようにした方法。
【請求項２３】
請求項２１に記載の方法において、
前記デコードされた各フレームに対し、前記決定された状況と、前記電力過剰であるか又は電力不足であるかとに部分的に基づいて前記設定点を調整するためのステップサイズを更に決定し、
前記決定されたステップサイズに基づいて前記設定点を調整するようにした方法。
【請求項２４】
請求項２１に記載の方法において、
受信されたフレームが正しくデコードされ、前記フレームに電力不足が生じている場合には、前記ステップサイズを大きなスケーリングファクタでスケールするようにした方法。
【請求項２５】
請求項２１に記載の方法において、
受信されたフレームが正しくデコードされ、前記フレームに電力過剰が生じている場合には、前記ステップサイズを小さなスケーリングファクタでスケールするようにした方法。
【請求項２６】
請求項２１に記載の方法において、
受信されたフレームが消去され、前記フレームに電力過剰が生じている場合には、前記ステップサイズを大きなスケーリングファクタでスケールするようにした方法。
【請求項２７】
請求項２１に記載の方法において、
受信されたフレームが消去され、前記フレームに電力不足が生じている場合には、前記ステップサイズを小さなスケーリングファクタでスケールするようにした方法。
【請求項２８】
無線通信システムで使用される電力制御ユニットであって、
受信されたフレームを所定のデコードスキームにしたがってデコードし、デコードフレームを提供するように構成されたデコーダと、
前記デコードフレームをチェックし、前記デコードフレームの状況を提供するように構成されたチェッカと、
前記受信されたフレームに対するデコード結果の信頼度を表す１つ以上のメトリックを提供するように構成されたメトリック計算ユニットと、
前記デコードフレームに対する状況および１つ以上のメトリックを受信し、前記受信した状況および１つ以上のメトリックの少なくとも部分的に基づいて電力制御ループに対する設定点を調整するように構成された電力制御プロセッサとを備え、
前記設定点は、前記受信されたフレームに対する目標受信信号品質を示している電力制御ユニット。
【請求項２９】
請求項２８に記載の電力制御ユニットにおいて、
前記受信されたフレームに対するシンボルを受信し処理することによって、前記受信されたフレームに対する受信信号品質を評価するように構成された信号品質測定ユニットを更に備え、
前記電力制御プロセッサを更に、前記受信信号品質の評価を受信し、前記受信信号品質が前記設定点に対して電力過剰であるか、または電力不足であるかを決定し、前記電力過剰であるか又は電力不足であるかに部分的に基づいて前記設定点を調整するように構成した電力制御ユニット。
【請求項３０】
請求項２８に記載の電力制御ユニットにおいて、
前記電力制御プロセッサを、各デコードフレームに対して、前記１つ以上のメトリックに対する値に部分的に基づいた所定量によって前記設定点を調整するように構成した電力制御ユニット。
【請求項３１】
請求項２８に記載の電力制御ユニットにおいて、
前記メトリック計算ユニットは、受信されたフレームのシンボルと、前記デコードフレームを再エンコードすることによって生成されたシンボルとの間のエラーを示す再エンコードシンボルエラー率を提供する電力制御ユニット。
【請求項３２】
ＣＤＭＡシステムの順方向リンクにおいて動作可能な請求項２８に記載の電力制御ユニット。
【請求項３３】
ＣＤＭＡシステムの逆方向リンクにおいて動作可能な請求項２８に記載の電力制御ユニット。
【誤訳訂正２】
【訂正対象書類名】明細書
【訂正対象項目名】全文
【訂正方法】変更
【訂正の内容】
【発明の詳細な説明】
【発明の名称】無線通信システムにおける電力制御設定点を調整する方法およびシステム
【技術分野】
【０００１】
本発明は一般にデータ通信に係り、更に詳しくは、無線通信システムにおける電力制御ループのための目標受信信号品質、すなわち設定点を調整するための斬新でかつ改良された技術に関する。
【背景技術】
【０００２】
無線通信システムにおいて、遠隔端末（例えば携帯電話）を有するユーザは、１つ以上の基地局と順方向および逆方向リンクによる通信を介して他のユーザと通信を行う。順方向リンクは基地局から遠隔端末への送信に相当し、逆方向リンクは遠隔端末から基地局への送信に相当する。順方向および逆方向リンクは、典型的には、異なる周波数バンドに割り当てられる。
【０００３】
コード分割多元接続（ＣＤＭＡ）において、基地局からの総送信電力は、典型的には、順方向リンクの総能力を表している。というのも、データは、分割された周波数バンドにわたって多くのユーザに同時に送信されるからである。総送信電力の一部は、全てのユーザに対する送信電力の合計が有効な総送信電力以下になるように、利用中の各ユーザに割り当てられる。
【０００４】
順方向リンク能力を最大にするために、各遠隔端末への送信電力は、遠隔端末において受信される送信の信号品質が所定目標値Ｅｂ／Ｎｔ（ビットあたりのエネルギーと、ノイズと干渉の合計値との比として測定された値）を維持するように第１の電力制御ループによって制御される。この目標値Ｅｂ／Ｎｔは、しばしば電力制御設定点（あるいは単に設定点）と称される。第２の電力制御ループは一般的に、例えばフレームエラー率ＦＥＲが測定され、望ましい品質レベルを維持できる設定点の調整のために適用される。したがって、順方向リンク電力制御機構は、望ましいリンク性能を維持しながら電力消費および干渉を減少させるようにしている。これによって、システム能力の増大と、利用ユーザにおける遅れを減少させる。
【０００５】
従来技術（たとえばＩＳ−９５規格で定義されている技術）では、受信したデータフレーム（すなわちパケット）の状況に基づいて設定点が調整される。あるスキームでは、フレーム消去が検出された（すなわち、フレームがエラーとして検出された）場合には、常に、設定点は相対的に大きなステップ（例えばΔＵ＝１ｄＢ）で増加される。逆に、フレームが適切にデコードされた場合には、常に、設定点は小さなステップ（たとえばΔＤ＝０．０１ｄＢ）で減少される。このスキームでは、フレームエラー率は、「増加」ステップの「減少」ステップに対する比（すなわち、ＦＥＲ＝ΔＤ／（ΔＤ＋ΔＵ））におおよそ等しい。
【非特許文献１】No.3G TS 25.211（Ｗ−ＣＤＭＡ規格）
【非特許文献２】No.3G TS 25.212（Ｗ−ＣＤＭＡ規格）
【非特許文献３】No.3G TS 25.213（Ｗ−ＣＤＭＡ規格）
【非特許文献４】No.3G TS 25.214（Ｗ−ＣＤＭＡ規格）
【非特許文献５】No.C.S0002-A（ｃｄｍａ２０００規格）
【非特許文献６】No.C.S0005-A（ｃｄｍａ２０００規格）
【非特許文献７】No.C.S0010-A（ｃｄｍａ２０００規格）
【非特許文献８】No.C.S0011-A（ｃｄｍａ２０００規格）
【非特許文献９】No.C.S0024（ｃｄｍａ２０００規格）
【非特許文献１０】No.C.S0026（ｃｄｍａ２０００規格）
【非特許文献１１】"Convolutional Codes and Their Performance in Communication Systems," IEEE Transaction on Communication Technology, Volume COM19, No. 5, October 1971, pages 821-835
【非特許文献１２】S. Lin and D. Costello in "Error Control Coding:Fundamentals and Applications," Prentice Hall, 1985, pages 171-176
【特許文献１】U.S. Pat. No. 5,751,725, entitled "METHOD AND APPARATUS FOR DETERMINING THE RATE OF RECEIVED DATA IN A VARIABLE RATE COMMUNICATION SYSTEM," issued May 12, 1998
【特許文献２】U.S. Pat. No. 6,175,590, entitled "METHOD AND APPARATUS FOR DETERMINING THE RATE OF RECEIVED DATA IN A VARIABLE RATE COMMUNICATION SYSTEM," issued Jan. 16, 2001
【特許文献３】U.S. Pat. Application Ser. No. 09/755,659, entitled "METHOD AND APPARATUS FOR POWER CONTROL OF MULTIPLE CHANNELS IN A WIRELESS COMMUNICATION SYSTEM," filed Jan. 5, 2001
【特許文献４】U.S. Pat. Application Ser. No. 09/370,081, entitled "METHOD AND APPARATUS FOR DETERMINING THE CLOSED LOOP POWER CONTROL SET POINT IN A WIRELESS PACKET DATA COMMUNICATION SYSTEM," filed Aug. 6, 1999
【特許文献５】U.S. Pat. Application Ser. No. 09/755,245, entitled "METHOD AND APPARATUS FOR DETERMINING THE FORWARD LINK CLOSED LOOP POWER CONTROL SET POINT IN A WIRELESS PACKET DATA COMMUNICATION SYSTEM," filed Jan. 5, 2001
【特許文献６】U.S. Pat. Application Ser. No. 09/239,454, entitled "METHOD AND APPARATUS FOR CONTROLLING TRANSMISSION POWER IN A POTENTIALLY TRANSMISSION GATED OR CAPPED COMMUNICATION SYSTEM," filed Jan. 28, 1999
【特許文献７】U.S. Pat. No. 5,903,554, entitled "METHOD AND APPARATUS FOR MEASURING LINK QUALITY IN A SPREAD SPECTRUM COMMUNICATION SYSTEM," issued May 11, 1999
【特許文献８】U.S. Pat. No. 5,056,109, entitled "METHOD AND APPARATUS FOR CONTROLLING TRANSMISSION POWER IN A CDMA CELLULAR MOBILE TELEPHONE SYSTEM," issued Oct. 8, 1991
【特許文献９】U.S. Pat. No. 5,265,119, entitled "METHOD AND APPARATUS FOR CONTROLLING TRANSMISSION POWER IN A CDMA CELLULAR MOBILE TELEPHONE SYSTEM," issued Nov. 23, 1993
【発明の開示】
【発明が解決しようとする課題】
【０００６】
上述した設定点調整スキームは、設定点に対して鋸刃状の応答となる。この鋸刃状の応答は、必要以上に高い電力レベルでの送信をもたらす。というのも、設定点は小さなステップで減少するからである。さらに、変更リンク条件を反映する設定点の正確な調整が、固定されたあるいは僅かな調整ステップによって阻止される。
【０００７】
以上明らかなように、電力制御ループの設定点の効果的な調整に資することができる技術、つまり送信電力消費と干渉を減少させ、システム能力を更に増加させる技術が非常に望まれている。
【課題を解決するための手段】
【０００８】
本発明は、無線通信システムにおいて電力制御ループの設定点を効果的に調整する電力調整技術を提供する。設定点は、１組の要素に基づいて調整される。この要素は、送信されたフレームが正しく受信されたか否かを示すフレーム状況を含む。ある局面では、受信されたフレーム（受信フレーム）とデコードされたフレーム（デコードフレーム）とに対して取得された１つ以上の（一般的には「ソフト」または多重ビットの）メトリックに部分的に基づいて設定点が調整される。そのようなメトリックは、リンク条件を示している情報を提供し、設定点をより正確に調整するために有利に使用されうる。設定点は、異なる方法及び／又はメトリック値に基づく異なる量によって調整されうる。
【０００９】
様々なメトリックが、リンクのモニタリング、および設定点の調整のために使用されうる。一般的に、コンボルーショナルコード、ターボコード、ブロックコード等といった順方向のエラーを修正するコード（ＦＥＣ）に対し、１つ以上のメトリックが生成される。これらのメトリックは、以下のものを含む。すなわち、再エンコードされたシンボルエラー率（ＳＥＲ）、再エンコードされた電力メトリック（全てのデコーダに対応）、「修正された」ヤマモトメトリック（コンボルーショナルデコーダに対応）、デコードされたフレーム内のビットのうちの最小または平均の（ｌｏｇ）最尤比率（ＬＬＲ）、およびデコードされたフレーム宣言までになされた繰り返し数（ターボデコーダに対応）、あるいはその他の可能なメトリックである。
【００１０】
別の局面では、設定点は、受信信号品質と、設定点との差異（つまり電力過剰または電力不足）に部分的に基づいて調整される。これによって、変化しつつあるリンク条件に対する電力制御機構の識別精度（すなわち、設定点における受信信号品質を維持するための内部電力制御ループの能力）を含めるように設定点を調整することができる。また別の局面では、設定点と、望ましい性能レベル（例えばＦＥＲ＝１％）を得るのに必要な閾値Ｅｂ／Ｎｔとの差分に部分的に基づいて設定点が調整される。
【００１１】
ここで記載された電力制御技術は、様々な無線通信システムへの適用が可能であり、順方向及び／又は逆方向リンクに対して有利に適用されうる。本発明に係る様々な局面、実施例、および特徴について後述する。
【発明の効果】
【００１２】
本発明によれば、電力制御ループの設定点を効果的に調整することができ、もって、送信電力消費と干渉を減少させ、システム能力を更に増加させることが可能となる。
【発明を実施するための最良の形態】
【００１３】
図１は、多くのユーザをサポートする拡散スペクトル通信システム１００を示す図である。システム１００は、対応する基地局１０４によってサービスがなされている複数のセルに対して通信サービスを提供する。様々な遠隔端末１０６がシステム中に分布している。各遠隔端末１０６は、作動状態であるか否か、ソフトハンドオフであるか否かに基づいて、任意の時間に、順方向および逆方向リンクによって１つ以上の基地局１０４と通信することができる。図１に示すように、基地局１０４ａは遠隔端末１０６ａ、１０６ｂ、１０６ｃ、１０６ｄと通信する。また基地局１０４ｂは遠隔端末１０６ｄ、１０６ｅ、１０６ｆと通信する。
【００１４】
システム１００において、システムコントローラ１０２は基地局１０４と連結しており、更に公衆切換電話ネットワーク（ＰＳＴＮ）にも連結している。システムコントローラ１０２は、自己に結合している基地局の調整および制御を行う。更にシステムコントローラ１０２は、基地局１０４を介してなされる各遠隔端末１０６間や、遠隔端末１０６とＰＳＴＮ（例えば従来型電話）に接続したユーザとの間の電話コールのルーティングを制御する。システムコントローラ１０２はまた基地局コントローラ（ＢＳＣ）とも称される。
【００１５】
システム１００は、以下の（１）から（４）に示すような１つ以上のＣＤＭＡ規格およびその他の規格をサポートするように設計されうる。  
（１）「TIA/EIA-95-B Mobile Station-Base Station Compatibility Standard for Dual-Mode Wideband Spread Spectrum Cellular System」（ＩＳ−９５規格）。  
（２）「TIA/EIA-98-D Recommended Minimum Standard for Dual-Mode Wideband Spread Spectrum Cellular Mobile Station」（ＩＳ−９８規格）。  
（３）「3rd Generation Partnership Project」（３ＧＰＰ）と名付けられたコンソーシアムで提案され、非特許文献１乃至４を含む１組の文献にまとめられた各規格。  
（４）「3rd Generation Partnership Project 2」（３ＧＰＰ２）と名付けられたコンソーシアムで提案され、非特許文献５乃至１０を含む１組の文献にまとめられた各規格。これらの規格は本明細書で引用して援用する。
【００１６】
図２は、本発明の様々な局面および実施例に適用可能な基地局１０４の実施例を示すブロック図である。順方向リンクでは、データは周期的冗長性チェック（ＣＲ）生成器２１２に提供される。ＣＲＣ生成器２１２は、データの各フレーム（すなわちパケット）に対して１組のＣＲＣビットを生成し、追加する。更にＣＲＣ生成器２１２は、このフレームをＣＤＭＡシステムで定義された所定のフォーマットにフォーマットする。このフォーマットされたフレームはその後、エンコーダ２１４において、所定のコード化スキームを用いてエンコードされる。この所定のコード化スキームは、コンボルーショナルコード、ターボコード、ブロックコード、あるいはこれらの組み合わせを含むものである。エンコードされたフレームはインタリーバ２１６において、同様にこのシステムで定義された所定のインタリーブスキームにしたがってインタリーブ（すなわち再指令）される。
【００１７】
インタリーブされたデータは、変調器（ＭＯＤ）２１８に提供され、更に処理（例えば、カバーコードによるカバー、短いＰＮシーケンスによる展開、受信遠隔端末に割り当てられた長いＰＮシーケンスによるスクランブル等）される。その後、変調されたデータは、ＲＦ  ＴＸユニット２２０に提供され、順方向リンク信号を生成するための処理（例えば、１つ以上のアナログ信号への変換、増幅、フィルタリング、直交変調等）がなされる。順方向リンク信号はデュプレクサ（Ｄ）２２２を介してルーティングされ、アンテナ２２４を経由して遠隔端末へと送信される。
【００１８】
簡略化のために図２には示していないが、基地局１０４は１つ以上の順方向チャンネルにおけるデータを処理し、遠隔端末へ送信することが可能である。各順方向チャンネルに対する処理（例えばエンコード、インタリーブ、カバー等）は、それぞれ他の順方向チャンネルに対する処理と異なりうる。
【００１９】
図３は、遠隔端末１０６の実施例を示すブロック図である。この遠隔端末１０６は、本発明の種々の局面および実施例に適用可能である。順方向リンク信号は、アンテナ３１２によって受信され、デュプレクサ３１４を介してルーティングされ、ＲＦ受信器ユニット３２２に提供される。ＲＦ受信器ユニット３２２は受信した信号を処理（例えば、フィルタリング、増幅、ダウンコンバート、およびデジタル化）し、サンプルを提供する。復調器（ＤＥＭＯＤ）３２４はサンプルを受信し、リカバされたシンボル（リカバシンボル）を提供するための処理（例えば、逆展開、デカバ、およびパイロット復調）を施す。受信した信号の多重インスタンスを処理し、結合されたリカバシンボルを生成するレーキ受信器を復調器３２４として適用することも可能である。リカバシンボルは、基地局で用いられているインタリーブスキームと相補的な逆インタリーブスキームに従って、逆インタリーバ３２６によって逆インタリーブされる。
【００２０】
デコーダ３２８は、基地局で使用されているエンコードスキームと相補的なデコードスキームに従って、逆インタリーブされたシンボルをデコードする。各フレームについてデコードされたデータは、ＣＲＣチェッカ３３２に提供される。ＣＲＣチェッカ３３２は、追加されたＣＲＣビットに基づいて、フレームが正しくデコードされているか誤ってデコードされたかを判定する。受信された各フレームおよびデコードされた各フレームについて、ＣＲＣチェッカ３３２は、このフレームが消去されたか、あるいは適切にデコードされたかを示すフレーム状況を与える。
【００２１】
上述したように、順方向リンクでは、各基地局の能力は総送信電力によって制限される。望ましい品質レベルを提供し、システム能力の増加を図るために、基地局からの各送信の送信電力は、可能な限り低く制御される。これによって、送信のための望ましい性能レベルを維持しながら電力消費を低減することが可能となる。仮に、遠隔端末における受信信号品質が悪すぎる場合には、送信を正しくデコードする確率が低下し、性能が落ちてしまう（例えば、ＦＥＲが高くなる）。逆に言えば、仮に受信信号品質が良すぎる場合には、送信電力レベルもまた高すぎる傾向にあり、送信電力の過剰分は、送信に対して不必要に使用されてしまう。これはシステム能力を減少し、更には他の基地局からの送信に対し余分な干渉をもたらす。
【００２２】
逆方向リンクでは、送信中の各遠隔端末は、システムにおける他の作動状態にある遠隔端末に対し干渉として作用する。逆方向リンクの能力は、各遠隔端末が被る他の送信中の遠隔端末からの干渉の総量によって制限されてしまう。干渉を減少し、逆方向リンクの能力を増加するために、各遠隔端末からの送信電力は、一般的には、望ましい性能レベルを維持しつつ、他の送信中の遠隔端末への干渉を低減するように制御される。
【００２３】
本発明の電力制御技術は、種々の無線通信システムに使用することが可能であり、順方向及び／又は逆方向リンクに対して有利に適用される。例えば、ここで記載された電力制御技術は、ｃｄｍａ２０００規格、Ｗ−ＣＤＭＡ規格、および他の規格、またはこれらを組み合わせたものに適合するＣＤＭＡシステムに適用することも可能である。明確化のために、本発明の種々の局面と実施例が、順方向リンクについての具体的な適用として後述されている。
【００２４】
図４は、本発明のある局面と実施例に適用することが可能な順方向リンク電力制御機構４００を示す図である。電力制御機構４００は、外部ループ電力制御４２０と連結して動作する内部ループ電力制御４１０を備えている。
【００２５】
内部ループ４１０は、（相対的に）速いループであり、遠隔端末で受信された送信の信号品質を、目標Ｅｂ／Ｎｔ（あるいは単に設定点）に可能な限り近い値に維持するよう試みる。図４に示すように、内部ループ４１０は、遠隔端末と基地局との間で動作する。内部ループ４１０に対する電力調整は、一般的には、遠隔端末において受信された送信の信号品質を測定し（ブロック４１２）、受信した信号品質を設定点と比較し（ブロック４１４）、電力制御コマンドを基地局に送信することによってなされる。
【００２６】
電力制御コマンドは、その送信電力を調整するために基地局に対して指令を行う。例えば、送信電力の増加を指令する場合には「増加」コマンドを、送信電力の減少を指令する場合には「減少」コマンドをそれぞれ使用する。基地局は、電力制御コマンドを受信するたびに、それに従って、送信電力を調整する（ブロック４１６）。ｃｄｍａ２０００システムにおいては、電力制御コマンドは、１秒間に８００回の頻度で送信される。これによって、内部ループ４１０に対して相対的に速い応答時間となる。
【００２７】
通信チャンネル（雲印４１８）、すなわちリンクにおける経路喪失によって、遠隔端末における受信信号品質は継続的に変動する。経路喪失は、一般的に時間に亘って変動し、特にモバイル遠隔端末の場合には顕著である。従って、内部ループ４１０は、通信リンクにおいて変化が生じている設定点、あるいはその近傍において受信された信号の品質を維持するよう試みる。
【００２８】
外部ループ４２０は、相対的に遅いループであって、遠隔端末への送信に対して所定の性能レベルを達成するように設定点を連続的に調整する。望ましい性能レベルとは一般的には目標フレームエラー率（ＦＥＲ）であって、それはＣＤＭＡシステムでは１％である。勿論他の目標値が使用される場合もある。さらに、設定点を調整するためにＦＥＲの代わりに他の性能基準（例えば品質表示）を用いてもよい。
【００２９】
外部ループ４２０では、基地局からの送信が受信され、送信フレームをリカバするための処理がなされ、受信フレームの状況が決定される（ブロック４２２）。受信された各フレームについては、フレームが正しく（良好に）デコードされたか、あるいは誤って（消去されて）デコードされたか、あるいは全く送信されていないかが判定される。このデコードの結果に対応して１つ以上のメトリックが取得される。デコードされたフレームの状況、１つ以上のメトリック、及び／又は可能ならその他のファクタ（後述する）に基づいて設定点が調整される（ブロック４２４）。一般的に、仮にフレームが正しくデコードされた場合には、遠隔端末からの受信信号品質は、必要以上に高くなる傾向にある。その後、設定点は僅かに減少する。これによって内部ループ４１０に送信電力を減少させる。仮に、フレームが誤ってデコードされた場合には、遠隔端末における受信信号品質は、必要以下になる傾向にある。その後、設定点は増加する。これによって内部ループ４１０に送信電力を増加させる。そして万が一、遠隔端末が、何れのフレームも送信されていないことを検知した場合には、潜在的な送信電力レベルに基づく情報を提供する他のメトリックが有効でないならば、設定点は調整されない。
【００３０】
ｃｄｍａ２０００システムにおける順方向リンクでは、トラフィックチャンネルフレームが有効ではない間は、順方向電力制御サブチャンネル（Ｆ−ＰＣＳＣＨ）が継続される。このようなフレームの欠如は、順方向専用制御チャンネル（Ｆ−ＤＣＣＨ）について許容されている。しかしながらＦ−ＰＣＳＣＨは、全レート電力レベルにリンクされている（例えば、Ｆ−ＰＣＳＣＨと、Ｆ−ＤＣＣＨにおける全レートとの相違は、オーバヘッドメッセージまたはハンドオフ方向メッセージに基づいてアナウンスされる。）。Ｆ−ＰＣＳＣＨは、２０ミリ秒のフレームにわたる１６の異なる位置におけるパンクチャインビットから構成されている。したがって、これらのレベルは、上述したメトリックを遠隔端末に生成させることを許可するために、電力プロファイルに人工的なフレームを挿入するのに用いられる。ここで記載されたソフトメトリックを、遠隔端末の電力プロファイルとともに人工的なフレームに適用することによって、性能を改善することができる。
【００３１】
設定点は、各フレーム周期毎に調整することができる。フレーム状況とメトリックとは、Ｎ個の受信フレームに対して蓄積され、Ｎ番目のフレーム周期毎に設定点を調整するために用いられる。ここで、Ｎは１よりも大きい任意の整数である。内部ループ４１０は一般的に各フレーム周期毎に何度も調整されるので、内部ループ４１０は外部ループ４２０よりも応答時間が速い。
【００３２】
設定点が調整される方法を制御することによって、異なる電力制御特性とシステム性能が得られる。例えば、目標ＦＥＲは、不良なフレームに対する設定点における増加方向の調整量や、良好なフレームに対する減少方向の調整量や、設定点における連続した増加間の必要な経過時間等を変更することによって調整される。実施する場合において、目標ＦＥＲ（すなわち長期間ＦＥＲ）は、ΔＤ／（ΔＤ＋ΔＵ）として設定することができる。ここでΔＵは、消去されたフレームに対する設定点における増加量であり、ΔＤは、良好なフレームに対する設定点における減少量である。ΔＵとΔＤに対する絶対サイズは、通信リンクにおける突発的な変化に対するシステムの感度を決定付ける。
【００３３】
図５は、設定点の調整スキームを示す図である。ここで、設定点は、消去されたフレームについては大きなステップで増加し、良好なフレームに対しては小さなステップで減少する。図５に示すように、ｔ０からｔ８までの各時間インデクスでは、受信フレームが正しくデコードされ、設定点はΔＤによる減少方向の調整がなされる。時間インデクスｔ９では、消去されたフレームが検出され、それに対する応答として、設定点はΔＵによる増加方向の調整がなされる。その後、ｔ１０からｔ１７までの各時間インデクスでは、受信フレームが正しくデコードされ、設定点は、再びΔＤによる減少方向の調整がなされる。そして時間インデクスｔ１８では、消去されたフレームが検出され、設定点は、ΔＵによる増加方向の調整がなされる。同様の方法で設定点の調整が連続してなされ、図５に示すような鋸刃状の応答となる。
【００３４】
設定点における鋸刃状の応答によって、必要以上に高い送信電力レベルとなる場合がある。目標ＦＥＲを達成するために必要とされる閾値Ｅｂ／Ｎｔは、線５１２で表される。リンク条件の悪化に伴って、消去されたフレームが連続して受信されることを回避するために、増加方向のステップサイズΔＵには、適宜大きな値が選択される。その結果、一般的に、設定点がΔＵによって増加方向に調整された時間から始まり、リンク条件が同一である場合、送信電力レベルは、大部分の時間に亘って必要以上に高くなる。鋸刃波形５１０の下で、かつ線５１２の上である影部分５１４は、過剰な送信電力をおおよそ示している。従来の設定点調整スキームでは、設定点は、良好なフレームに対して小さなステップで減少することのみ可能であるので、過剰な送信電力の量（すなわち影部分５１４）は、大きくなる。引き起こっているリンク条件がその後改善する一方で、仮に複数の消去されたフレームが近い時間内に受信された場合には、この過剰な送信電力はかなり大きくなる。これは固定され、かつ小さな減少方向の調整ステップである。したがって、改善するリンク条件に反映するために設定点を更に正確に調整する能力は、一般的に抑制される。
【００３５】
本発明の局面に従うと、設定点は、フレーム状況を含みうる１組のファクタに基づいて調整される。ある局面では、設定点は、受信されデコードされたフレームについて取得された１つ以上のメトリックに部分的に基づいて調整される。そのようなメトリックは、受信フレームに対して「良好」といった情報表示を与え、このフレームが良好であるか消去されたかといった難しい判定はしない。この情報は、リンク条件のモニタおよび設定点の更なる正確な調整のために使用される。設定点は、増加および減少の調整を、２つのみの可能な値によって行うのではなく、異なる手法、及び／又はフレームについて決定された良好さに基づく異なる量によって調整されうる。
【００３６】
別の局面では、設定点は、受信信号品質と設定点との差違（電力過剰または電力不足と称される。）に部分的に基づいて調整される。これによって設定点は、変化しているリンク条件に対する内部ループ電力制御機構の識別精度（すなわち、内部ループが、設定点を達成するために要求される送信電力を電力する能力）に相当する方法で調整される。また別の局面では、設定点と、例えばＦＥＲ＝１％のような望ましい性能レベルに必要とされる閾値Ｅｂ／Ｎｔとの差違（これは設定点過剰または設定点不足と称される）に部分的に基づいて設定点が調整される。本発明におけるこのような局面は以下に更に詳述される。
【００３７】
様々なメトリックが通信チャンネルの品質（たとえばリンク条件）のモニタに使用される。一般に、１つ以上のメトリックは、コンボルーショナルコード、ターボコード、ブロックコード等のような順方向エラー修正コード（ＦＥＣ）のために取得される。相補的なデコーダは、一般的に、各ＦＥＣに対して受信器ユニットにおいて使用される。異なる組のメトリックは、異なるタイプのデコーダから得られる。幾つかのデコーダと、対応するメトリックについては後述する。これら様々なメトリックを経由して、受信器ユニットはリンクの品質をモニタし、（例えばフレームが実際に消去される前に）更に正確に設定点を調整することができる。
【００３８】
多くのＣＤＭＡシステムは、送信器ユニットにコンボルーショナルエンコーダを適用している。コンボルーショナルエンコーダは、送信される各フレームに対し、フレーム内のデータビットを、１組の多項式生成器にしたがってエンコードし、多くのコード化されたビット（コード化ビット）を供給する。各データビットは１組のコード化ビット（「コードブランチ」と呼ばれる。）に対応している。各コード化ビットは、隣接するデータビットと多項式生成器とに依存する実際の値を有している。コード化ビットの幾つかはパンクチャ（すなわち、削除）され、パンクチャされなかったコード化ビットが送信される。コード化ビットのシーケンスまたはシンボルは、フレーム内におけるデータビットのシーケンスのために送信される。
【００３９】
受信器ユニットでは、相補的なコンボルーショナルデコーダが、送信されたコード化ビットに対応する受信「ソフト」（多重ビット）シンボルのデコードに用いられる。様々なタイプのデコーダが使用されうるが、コンボルーショナルデコードを行う場合にはViterbiデコーダを用いるのが一般的である。チャンネルノイズに関するある仮定の下では、Viterbiデコーダは、送信されたコード化ビットのデコードを最も高い確率で行う。
【００４０】
まず、トレリス内の全ての２Ｋ−１状態の経路メトリックが初期化される。ここでＫは、コンボルーショナルエンコーダの制約長さである。各受信コードブランチ（データビットに対応している）について、各状態に進入する全ブランチのブランチメトリックが計算され、その状態の経路メトリックに加算される。これによって、更新された経路メトリックを生成する。ブランチメトリックは、受信コードブランチと、実際のコードブランチとの間のエラー（すなわち、距離）を示している。そして、経路メトリックは、トレリスを介した所定の経路内における信頼度を示している。各状態に進入する最良の経路（状態に対する更新された経路メトリックに対応する）が選択され、経路メモリに格納される。そして、選択された経路に対応する更新された経路メトリックが、その状態に対する新たな経路メトリックとして格納される。各フレームについて、最良の経路メトリックでトレリスを介したパスが、受信したシンボルシーケンス（受信シンボルシーケンス）に最も好ましいデータビットのシーケンスとして選択される。
【００４１】
Viterbiデコーダの理論と動作は、A. Viterbiによって著された非特許文献１１に記載されている。
【００４２】
様々なメトリックが、コンボルーショナルデコーダを利用して取得され、リンク条件のモニタや、設定点の調整のために用いられる。これらのメトリックは、以下に示す（１）から（３）およびその他可能なものを含んでいる。（１）再エンコードされたシンボルエラー率（ＳＥＲ）、（２）再エンコードされた電力メトリック、（３）「修正された」ヤマモトメトリック（修正ヤマモトメトリック）。
【００４３】
図３に示すように、再エンコードされたＳＥＲ（再エンコードＳＥＲ）を決定するために、デコードフレームのデコードデータビットは、デコーダ３２８から再エンコーダ３３４へと与えられる。再エンコーダ３３４は、送信器において使用されたものと同じコンボルーショナルエンコーダによってこのデータを再エンコードする。再エンコーダからのコード化ビットは、その後、送信器（もしあれば）において使用されたものと同じパンクチャスキームによってパンクチャされ、コード化ビットが生成される。
【００４４】
ＳＥＲ／相関検出器３３６は、再エンコーダ３３４からのコード化ビットと、逆インタリーバ３２６からのシンボルとを取得する。その後、生成されたシンボル（生成シンボル）は、受信シンボル（ハードデシジョンまたはバイナリ値に変換された）と、シンボル毎に比較される。この比較の間に、生成ビットと、受信シンボルとの間のエラーがカウントされる。その後、シンボルエラーの数が、比較されたシンボルの総数で除されることによって、再エンコードＳＥＲが決定される。
【００４５】
再エンコードＳＥＲは、フレーム内におけるソフトシンボルエラーの総数に相当しており、トレリスを介した最も好ましい経路のうちの規格化されたメトリックの総数として得られる。Viterbiデコード処理の間、トレリスの各段階において、全ての２Ｋ−１の状態に対する経路メトリックが、最良の経路メトリックにしたがって規格化される。シンボルエラーは、全トレリスについての経路メトリックについてなされた規格化値と、トレリスにおける最終メトリックとを加算することによって得られる。従って、再エンコードＳＥＲは、Viterbiデコード処理によって得られる。
【００４６】
再エンコードＳＥＲの決定は、特許文献１にその詳細が記載されている。特許文献１の発明は、本願発明の譲受人に譲渡されており、本明細書で引用して援用する。
【００４７】
高い再エンコードＳＥＲは、リンク条件が悪いことを示している。これは、フレームのデコードが成功した後に、設定点の増加または僅かな減少を必要とする場合がある。逆に言えば、低い再エンコードＳＥＲは、より良いリンク条件を示している。これは、フレームのデコードが成功した後に、設定点における大きな減少を許容する場合がある。一般に、再エンコードＳＥＲの値が大きくなるほど、現在の設定点に一致するよりも、より悪化するリンク条件に一致するようになる。
【００４８】
再エンコード電力メトリックを決定するために、デコードされたフレーム（デコードフレーム）におけるデコードデータビットは、先ず第１に、同じコンボルーションエンコーダを用いている再エンコーダ３３４によって再エンコードされる。その後、基地局で使用されているものと同じパンクチャスキームによってパンクチャされる。その後、ＳＥＲ／相関検出器３３６は、再エンコーダ３３４によって生成されたコード化ビットと、逆インタリーバ３２６からの受信シンボルとを取得する。その後、受信されたソフトシンボルのベクトル（すなわち、フレーム）と、生成されたコード化ビット（生成コード化ビット）のベクトルとの内積が計算される。内積は２つのベクトルを要素毎（すわなち、ビット毎）に掛けあわせ、この掛け算の結果である積を累積することによってなされる。最終的な累積値が２つのベクトルの内積となる。内積は、以下の式（１）の通り表現される。
【数１】
2005503044.tif 000001
【００４９】
ここで、ｘは再エンコードフレームにおけるコード化ビットを示しており、ｙは、受信されたシンボル（受信シンボル）を示している。Ｎは、フレーム内におけるコード化ビットの数である。Ｐｍ（ｘ、ｙ）は受信したフレームに対する電力メトリックである。式（１）における内積は、再エンコードフレームと、受信フレームとの相関関係とみなされる。
【００５０】
別の実施例では、シンボルの電力の内積も計算される。この場合、各受信シンボルと、各生成コード化ビットとがまず２乗される。その後、２乗されたコード化ビットと、２乗された受信シンボルとのベクトルについて内積が行われる。
【００５１】
再エンコードされた電力メトリック（再エンコード電力メトリック）の決定は、特許文献２に詳細に記載されている。特許文献２の発明は、本願発明の譲受人に譲渡されており、本明細書で引用して援用する。
【００５２】
再エンコード電力メトリックは、再エンコードＳＥＲの幾つかの要素を含んでいる。仮に、生成コード化ビットが、受信シンボルと同じ符号であれば（すなわち、シンボルエラーがなければ）、その結果得られる積は正の値であり、電力メトリックを増加させる。逆に言えば、仮に、生成コード化ビットが、受信シンボルと逆の符号であれば（すなわち、シンボルエラーであれば）、その結果得られる積は負の値となり、電力メトリックを減少させる。より大きな値の受信シンボルは、１よりも僅かに大きな値を加えることによって電力メトリックを増加させる。
【００５３】
一般に、より高い再エンコード電力メトリックは、より良いリンク条件を示す。この条件は、フレームのデコードが成功した後に、設定点における大幅な減少を許容する。逆に言えば、より高い再エンコード電力メトリックは、より悪いリンク条件を示す。この条件は、フレームのデコードが成功した後に、設定点における増加または僅かな減少を必要とする。一般に、再エンコード電力メトリックがより高くなると、現在の設定点に対してリンク条件がますます良くなる。
【００５４】
修正ヤマモトメトリックは、コンボルーショナルデコードの経路メトリックに基づいている。Viterbiデコーダは、トレリス内の２Ｋ−１の状態の各々における最良の経路のための経路メトリックを維持する。全状態に対する最良の経路メトリックを備えた経路は、一般に、最も確からしいデータビットのシーケンスとして選択される。修正ヤマモトメトリックは、デコード結果における信頼度を示している。そして、全トレリスにわたって選択された（最良の）経路と、トレリス内の次に近い経路との間の相違に基づいている。従来のヤマモトメトリックを導出するためには、最良の経路メトリックと２番目に最良の経路メトリックとの差違が、バイナリ値を生成するための閾値に対して比較される。これによって、選択された経路がある信頼度基準を満足しているか否かを示す。
【００５５】
修正ヤマモトメトリックはまた、選択された経路および次に近い経路の経路メトリックに基づいて生成される。しかしながら、修正ヤマモトメトリックは、ソフトな値（すなわち、多重ビット値）であり、最良の経路のメトリックと、２番目に最良の経路のメトリックとの相違を示す情報を含んでいる。ある実施例では、修正ヤマモトメトリックは、最良の経路メトリックの実際の値に関する成分を含んでいる場合もある。仮に２つの経路メトリックの相違が大きい場合には、修正ヤマモトメトリックは高く、正しい経路として選択された経路について高い信頼度を示す。逆に言えば、仮に２つの経路メトリックの相違が小さい場合には、修正ヤマモトメトリックは低く、選択された経路について低い信頼度を示す。
【００５６】
他のコンボルーショナルデコーダメトリックもまた得られ、リンクモニタリングおよび設定点の調整に用いられる。これもまた本発明の範囲でなされることである。
【００５７】
ＣＤＭＡシステムは、一般に、多くの可能なデータレートのうちの１つにおいてフレームを送信することが可能である。選択されたデータレートは、送信されるデータ量を含むファクタと、有効な送信電力量などの組み合わせに基づいている。仮に、データレートが受信器ユニットに前もって知られていない場合には、受信フレームは多くのレート仮定に基づいてデコードされる場合がある。未知のレートのフレームをデコードする技術は、前述された特許文献１および特許文献２に記載されている。その後、最も確からしいレート仮定に対応するメトリックがリンクのモニタリングおよび設定点の調整のために使用される。
【００５８】
多くのＣＤＭＡシステムもまた送信器ユニットにおいて並列または直列に連結されたコンボルーショナルエンコーダ（しばしばターボエンコーダと称される）を使用している。明確化のために、本発明の各局面が、並列に連結されたコンボルーショナルコード用として本明細書に記載されている。しかしながら、その概念は直列に連結されたコンボルーショナルコードにも適用できるものである。このターボエンコーダは、並列に動作する２つの構成成分エンコーダを適用しており、コードインタリーバと組み合わせて適用している。各構成成分エンコーダは一般的にコンボルーショナルエンコーダとして適用されている。このコードインタリーバは、具体的に定義されたインタリーブスキームにしたがってフレーム内の情報ビットを並べ替える（すなわち、インタリーブする）。一方の構成成分エンコーダは、フレーム内のオリジナルの情報ビットをエンコードし、パリティビットの第１のシーケンスを生成する。他方の構成成分エンコーダは、並べ替えられた情報ビットをエンコードし、パリティビットの第２のシーケンスを生成する。第１及び第２のシーケンスにおけるパリティビットの幾つかは、パンクチャされる（すなわち、削除される）。パンクチャされていない情報およびパリティビットは、フレーム毎にコード化ビットとして送信される。
【００５９】
受信器ユニットでは、相補的なターボデコーダが使用され、送信されたコード化ビット（送信ビットコード）に対応する受信ソフトビットがデコードされる。ターボエンコードされた各フレームに対し、受信ソフトビットがバッファに格納される。第１のエンコーダへの受信情報およびパリティビットは、その後バッファから取り出され、第１の構成成分コードに基づいてデコードされる。これによって、受信情報ビットに対する検出値における信頼度の調整値を示す「非本質的な」情報を提供する。その後、第１のデコーダから得られるこの非本質的な情報は、送信器ユニットにおいて使用されているコードインタリーブに一致したインタリーブ手順にしたがって記憶ユニットに格納される。
【００６０】
その後、第２のエンコーダへの受信情報およびパリティビットは、バッファから取り出され、第１のデコーダによって生成された非本質的な情報と、記憶ユニットから取り出された情報とが組み合わされる。更に、第２の構成成分コードに基づいてデコードされることによって、受信情報ビットに対する検出値の信頼度の更なる調整値を示す非本質的な情報を提供する。その後、第２のデコーダからの非本質的な情報は、送信器ユニットにおいて使用されたコードインタリーブに相補的な逆インタリーブ手順にしたがって記憶ユニットに格納される。第１および第２のデコーダによるデコードは、何度か繰り返され、最終的なデコード結果が得られる。
【００６１】
様々なメトリックが、リンクモニタリングおよび設定点の調整を行うターボデコーダと連携することによって得られる。これらメトリックとしては（１）再エンコードＳＥＲ、（２）再エンコード電力メトリック、（３）デコードフレーム内のビットによる最小または平均（ｌｏｇ）最尤比率、（４）デコード化フレームを宣言するまでなされた繰り返し数、およびその他可能なメトリックがある。
【００６２】
再エンコードＳＥＲと、再エンコード電力メトリックとは、コンボルーショナルデコーダに対してなされた上述したような方法と同様にして取得される。フレームにおけるこのデコード化ビットは、この場合、（パンクチャを含む）送信器ユニットにおいて使用されているものと同様のターボエンコーダを適用している再エンコーダ３３４によって再エンコードされる。再エンコーダ３３４によって生成されたコード化ビットと、受信ソフトビットとは、上述したようにＳＥＲ／相関検出器３３６によってなされるのと同様にして比較／処理がなされ、再エンコードＳＥＲ及び／又は再エンコード電力メトリックを生成する。
【００６３】
ターボデコーダは、一般に、以下に示すように、各受信情報とパリティビットとの最尤比率を計算する。
【数２】
2005503044.tif 000002
【００６４】
ここで、Ｐ（ｂｍ＝０）は、受信ビットが０の場合における確率であり、Ｐ（ｂｍ＝１）は、受信ビットが１の場合における確率である。初期の確率は、シンボルに対して受信されたソフト値に基づく。連続した確率は、上述したように、デコードの繰り返しによって修正される。ＬＬＲが０の場合、ビットが０または１である場合と等しい確率を示し、大きな正のＬＬＲ値は、ビットが０である場合の大きな確率を示し、大きな負のＬＬＲ値は、ビットが１である場合の大きな確率を示している。
【００６５】
（最終繰り返し後の）デコード化フレームのビットにおける最小または平均のＬＬＲは、メトリックとして使用されうる。幾つかの応用では、万が一、フレーム内におけるデコード化ビットの何れか１つが誤って受信された場合、そのフレームは受け入れられない。また、他の幾つかの応用では、フレーム内におけるデコード化ビットのエラーが少しであれば受け入れられる。従って、その応用における要求に基づいて、最悪のＬＬＲ（すなわち、最も小さい値のＬＬＲ）あるいは多くの好ましくないＬＬＲが、デコード化フレームの信頼度を示すために適用されうる。好ましくないＬＬＲの平均数もまたメトリックとして使用されうる。
【００６６】
上記したように、一般にターボデコードは、デコード化フレームを宣言する前に何度も繰り返し（例えば４，６，８，１０回、可能であればそれ以上）がなされる。各繰返しによって、各受信情報ビットの信頼度は、最終値に漸近的に達するまで増加する。仮に、フレームにおけるビットに対するＬＬＲが所定の閾値を超える場合には、ターボデコーダは、デコード処理の間のチェックを行い、デコードを終了させる。その代わりに、デコーダは、ビルトインタイプのエラー検出機能（例えば、周期的な冗長性チェック（ＣＲＣ））を使用することができる。これによって、許容された最大の繰り返し回数に達する前にデコードが成功したか否かを決定する。これら各場合において、デコード化フレームを宣言する前に実行されたデコードの繰り返し回数がデコーダメトリックとして使用される場合もある。
【００６７】
その他のターボデコーダメトリックもまた取得され、リンクモニタリングおよび設定点の調整のために用いられる。これもまた本発明の範囲に含まれる。
【００６８】
上述したコンボルーショナルデコーダと同様に、仮に、受信フレームのデータレートが前もって知られていない場合には、受信フレームは多くのレート仮定に基づいてデコードされる。そして、最も好ましいレート仮定に対応するメトリックがリンクモニタリングおよび設定点の調整のために使用される。
【００６９】
送信に先立ってデータをエンコードするためにブロックコードもまた使用されうる。Reed-Solomonコードおよびその他等の様々なブロックコードが適用されうる。（ｎ，ｋ）Reed-Solomonコードでは、ｋ個のデータビットからなるブロックが、ｎ個のコード化ビットのブロックにエンコードされる。（ｎ，ｋ）Reed-Solomonコードは、ｎ個のコード化ビットのブロック内において、最大（ｎ−ｋ）／２ビットまでのエラー修正が可能である。Reed-Solomonコードおよびデコードは、非特許文献１２に詳細に記載されている。
【００７０】
様々なメトリックが、リンクモニタリングおよび設定点の調整のためのブロックデコーダと連携することによって得られる。これらのメトリックは（１）再エンコードＳＥＲ、（２）再エンコード電力メトリック、およびその他の可能なメトリックを含んでいる。
【００７１】
再エンコードＳＥＲと、再エンコード電力メトリックとは、上述した手順と類似の手順にしたがって、ブロックエンコード化フレームについて得られる。フレーム内におけるデコード化ビットは、この場合、送信器ユニットで使用されるものと同様のブロックエンコーダを適用している再エンコーダ３３４による再エンコードが可能である。再エンコーダ３３４によって生成されたコード化ビットと、受信シンボルとは、上述した手順と類似の手順にしたがって、ＳＥＲ／相関検出器３３６によって比較／処理され、再エンコード化ＳＥＲ及び／又は再エンコード化電力メトリックを生成する。
【００７２】
内部電力制御ループは、送信器ユニットからの送信に対する送信電力を、受信器ユニットにおける信号品質が設定点において維持されるように調整する。通常の動作条件においては、この内部ループは、設定点における受信信号品質を維持するために必要な送信電力を送ることができる。
【００７３】
しかしながら、ある例においては、この内部ループは、設定点における受信信号品質を維持することができない場合がある。例えば、経路喪失が突然悪化した場合には、この内部ループは、十分速くランプ増加せず、送信電力は経路喪失を補うのに必要な量よりも小さく、受信信号品質は設定点よりも低く、負の電力過剰（すなわち、電力不足）となる。仮に、送信器ユニットが目標Ｅｂ／Ｎｔを達成するのに必要な送信電力を送ることができない（または、送ることを拒んだ）場合には、電力不足が生じる。逆に言えば、仮に、経路喪失が突然に改善した場合には、内部ループは十分速くランプ減少しないために、送信電力は必要以上となり、受信信号品質は設定点以上となり、電力過剰が生じる。したがって、電力過剰は、外部ループが指定する内部ループの送信能力を示している。
【００７４】
本発明の局面に従うと、内部ループが目標Ｅｂ／Ｎｔを発信するか否かを確認するために、内部ループの性能がモニタされうる。電力過剰は、設定点の調整を行う場合に判定され考慮される。ある実施例では、電力過剰は、所定の時間間隔（たとえばフレーム）から設定点を減じた時間にわたって平均された実際のＥｂ／Ｎｔ（すなわち、受信信号品質）として計算される。別の実施例では、電力過剰は、累積内部ループ電力制御コマンドに基づいて評価される。仮に、増加コマンドおよび減少コマンドが、送信電力調整時において同じステップサイズ（たとえば±０．５ｄＢ）になった場合には、この電力過剰は、減少コマンドの和から増加コマンドの和を引いた値に基づいて評価される。そして、仮に増加コマンドおよび減少コマンドが異なるステップサイズになった場合には、電力過剰は、減少コマンドのスケール和から、増加コマンドのスケール和を引いた値に基づいて評価される。
【００７５】
図６（ａ）は、典型的な送信時における送信電力を示す図である。実際の経路喪失は実線６１０によって表される。目標Ｅｂ／Ｎｔを達成するために必要な送信電力は、破線６１２によって表される。実際の送信電力は、太破線６１４ａ、６１４ｂ、６１４ｃで表される。図６（ａ）に示すように、設定点における受信信号品質を維持するために、経路喪失を相補するようにして送信電力を調整する必要がある。これはフレーム１の全てと、フレーム２のほとんどに対してなされる。フレーム２の最後の部分に向かうにしたがって、経路喪失は大幅に悪化するが、送信電力は、破線６１６によって示される所定最大レベルに制限（すなわち、キャップ）される。フレーム３およびフレーム４の開始時には、必要とされる送信電力が、最大レベル以上になるように決定され、これらのフレームに対しては、送信が一時的に中断される。そしてフレーム５において、必要とされる送信電力が最大レベル以下になるように決定され、送信が再開される。
【００７６】
図６（ｂ）は、図６（ａ）で示される送信に対する電力過剰を示す図である。フレーム１内では、送信電力が、目標Ｅｂ／Ｎｔにおける受信信号品質を維持するように制御され、電力過剰はゼロとなる。フレーム２の部分では、送信電力が、目標Ｅｂ／Ｎｔを達成するために必要な量よりも小さくなり、このフレームに対する平均受信信号品質は、目標Ｅｂ／Ｎｔよりも小さくなり、負の電力過剰（すなわち電力不足）となる。フレーム３内とフレーム４内では送信がなされず、これらのフレームに対する電力不足は大きい。そしてフレーム５内では、送信電力が、目標Ｅｂ／Ｎｔにおける受信信号品質を維持するように制御され、電力過剰が再びゼロとなる。
【００７７】
図７は、本発明の実施例に従って設定点を調整するための処理７００を示すフロー図である。先ず第１にステップ７１２では、受信フレームがデコードされ、デコード化フレーム（すなわち、フレームが消去されたか、あるいは正しくデコードされた場合）の状況に関する決定がなされる。次にステップ７１４では、デコード化フレームに対して、１以上（一般的にはソフト）のメトリックが取得される。これらのメトリックは、上述したように受信フレームでなされたデコードのタイプ（例えばコンボルーショナルデコード、ターボデコード、またはブロックデコード）に基づき、リンク状態およびデコード結果における信頼度を示している。次にステップ７１６では、内部電力制御ループに対し電力過剰であるか、または電力不足であるかが決定される。ステップ７１８では、フレーム状況、メトリック、および電力過剰／電力不足、あるいはこれらの組み合わせに基づいて設定点のステップサイズが決定される。その後、ステップ７２０では、決定されたステップサイズに基づいて設定点が調整される。
【００７８】
一般に、メトリックは、上述された電力過剰と関連している。従って、設定点の調整時に、電力過剰が考慮される。例えば、設定点の調整量は、電力過剰または電力不足の量か、あるいは少なくとも部分的に依存している。
【００７９】
ある実施例では、仮に、電力不足が大きく、必要なフレームが消去された場合（すなわち、内部ループが、目標Ｅｂ／Ｎｔの達成に必要な量よりも少ない電力を発した場合）には、上述されたようなメトリックに基づく設定点の調整量は減少される。仮に、実行する時間が与えられた場合には、内部ループはより大きな電力を発するので、設定点は、通常よりも僅かに大きな値に高められる。
【００８０】
ある実施例では、仮に、電力過剰が正の値であり、受信フレームが正しくデコードされた場合には、メトリックに基づく設定点の調整量は小さくなる。一般的に、仮に、内部ループがランプ減少するよりも速くリンクが改善する場合には電力過剰が生じる。仮に、実行する時間が与えられた場合には、内部ループは少ない電力を送る。
【００８１】
ある実施例では、仮に、電力過剰がゼロであれば（すなわち、内部ループがほとんど目標Ｅｂ／Ｎｔを送る場合）、メトリックに基づいて通常量（あるいは可能であれば増加されて）による設定点調整がなされる。仮に、受信フレームが正しくデコードされた場合には、メトリックは、設定点を「良好に調整」するために使用される。例えば、仮に、再エンコードＳＥＲが低い場合、再エンコード電力メトリックが高い場合、修正ヤマモトメトリックが高い場合、最も信頼度の低いビットのＬＬＲが高い場合、またはこれらの組み合わせの場合には、設定点は減少される。減少方向の調整量は、メトリックの量（すなわち、デコード結果における信頼度）に依存する。
【００８２】
図８（ａ）は、受信フレームが消去された場合において設定点のステップサイズをスケールするために用いられるスケーリングファクタＳＢの電力過剰に対するプロット８１２を示している。仮に、電力過剰がある（すなわち、受信信号品質が目標Ｅｂ／Ｎｔよりも大きい）ものの、受信フレームが消去された場合には、設定点は大きく調整される。プロット８１２の右半分に示すように、大きなスケーリングファクタを用いることによって、より大きな設定点ステップサイズを得ることができる。逆に言えば、仮に、電力不足があり、受信フレームが消去された場合には、実行する機会が与えると、内部ループはより良好な受信信号品質を発することが期待されているので、設定点はわずかにしか調整されない。この小さな設定点ステップサイズは、プロット８１２の左半分に示すように、電力不足に対する小さなスケールファクタを介して取得される。不安定さを回避するために、プロット８１２には制限が設けられている。例えば、仮に、電力不足が閾レベルＰＢ１よりも大きい場合には、スケーリングファクタは最小値ＳＢｍｉｎに維持される。そして、電力過剰が閾レベルＰＢ２を超えると、スケーリングファクタＳＢは、漸近的に最大値ＳＢｍａｘに達する。
【００８３】
図８（ｂ）は、フレームが正しくデコードされた場合において設定点のステップサイズをスケールするために用いられるスケーリングファクタＳＧの電力過剰に対するプロット８１４を示している。仮に、電力不足（すなわち、受信信号品質が目標Ｅｂ／Ｎｔよりも小さい場合）であるがフレームが正しくデコードされた場合には、設定点は大きく調整される。プロット８１４の左半分に示すように、大きなスケーリングファクタを用いることによって、より大きな設定点ステップサイズを得ることができる。逆に言えば、仮に、電力過剰があり、受信フレームが正しくデコードされた場合には、内部ループはより低い受信信号品質が期待されているので、設定点は、わずかしか調整されない。この小さな設定点ステップサイズは、プロット８１４の右半分に示すように、電力過剰に対する小さなスケールファクタを介して取得される。また、不安定さを回避するために、プロット８１４には制限が設けられている。そして、仮に、電力過剰が閾レベルＰＧ２を超えた場合であっても、スケーリングファクタＳＧは最小値ＳＧｍｉｎに維持され、電力不足が閾レベルＰＧ１を超えるのに伴って、スケーリングファクタＳＧは、漸近的に最大値ＳＧｍａｘに達する。
【００８４】
図８（ａ）および図８（ｂ）に示す特性と異なる特性のプロットもまた、スケーリングファクタに用いられる。これもまた本発明の範囲に含まれる。スケールファクタのプロットは、他の方法として、ルックアップテーブルを用いて実施することができる。
【００８５】
受信器ユニットにおいて有効であれば、上述されたメトリックのあらゆる組み合わせを、リンク条件のモニタと設定点の調整に使用することができる。設定点は、以下に示す方法の任意の組み合わせに基づいて調整されうる。すなわち、（１）フレーム消去情報（すなわちフレーム状況）、（２）１つ以上のメトリック、（３）電力過剰／不足、および（４）設定点過剰／不足である。詳細について後述する。
【００８６】
ある実施例では、設定点の調整のために有効な各メトリックについて、正しくデコードされたフレームに対するメトリック値の分配が、望ましい性能レベル（例えばＦＥＲ＝１％）に必要とされる閾値Ｅｂ／Ｎｔに関連する様々な設定点に対して集められる。設定点と閾値Ｅｂ／Ｎｔとの間の差分は、設定点過剰または設定点不足と称される（これは、電力過剰、電力不足とは別のものである）。設定点過剰または設定点不足は、設定点が閾値Ｅｂ／Ｎｔよりも高い（過剰側）か低い（不足側）かによる。各メトリックに対し、複数のヒストグラムが異なる設定点過剰／設定点不足および異なるリンク条件に対して集められる。
【００８７】
図９（ａ）は、多くの設定点過剰／設定点不足に対する１つのメトリックに対するヒストグラムを示す図である。この例では、ヒストグラム９１２は、望ましい性能レベル（たとえば１％のＦＥＲ）に必要とされる閾値Ｅｂ／Ｎｔ（たとえば６ｄＢ）に設定点が設定された場合におけるメトリック値の分布を示している。ヒストグラム９１４／９１６は、それぞれ設定点が、閾値Ｅｂ／Ｎｔよりも所定量低い／高い場合におけるメトリック値の分布をそれぞれ示している（例えば、ヒストグラム９１４の設定点は４ｄＢであり、閾値よりも２ｄＢ低く、ヒストグラム９１６の設定点は８ｄＢであり、閾値よりも２ｄＢ高い。）。メトリック分布は、コンピュータシミュレーション、経験則（たとえば実験室内またはフィールド外において）、あるいは他の手法によって集められる。
【００８８】
図９（ｂ）は、図９（ａ）で特徴付けられるヒストグラムに対する設定点ステップサイズのプロットを示す図である。図９（ｂ）に示すように、プロット９２２，９２４，９２６は、ヒストグラム９１２，９１４，９１６で使用された設定点ステップサイズをそれぞれ示している。これらのプロットから、プロット９２２，９２４，９２６に対する曲線および傾きから示されるように、設定点ステップサイズは、設定点過剰／設定点不足に基づいていることを観察することができる。設定点ステップサイズは、低いメトリック信頼度に対してはより高い増加ステップサイズが用いられ、高いメトリック信頼度に対してはより高い減少ステップサイズが用いられており、実際のメトリック値に依存している。
【００８９】
図９（ａ）および図９（ｂ）は、１つのメトリックに対するヒストグラムおよび設定点ステップサイズを示している。仮に、複数のメトリックが有効である場合、類似したヒストグラムおよびプロットが各メトリックに対して生成される。ある受信フレームに対して与えられた１組のメトリックについて、設定点調整量は、適切なプロットからの値の組み合わせに基づいて決定される。
【００９０】
メトリックは、フレームが実際に消去される前におけるリンク条件のモニタ、および設定点の調整に用いることができる。仮に、リンク条件が予想よりも良好であるとメトリックが表示した場合（例えば、再エンコードＳＥＲが低く、再エンコード電力メトリックが高い場合など）には、目標Ｅｂ／Ｎｔを減少することができる。逆に言うと、仮に、リンク条件が予想よりも悪いとメトリックが表示した場合には、目標Ｅｂ／Ｎｔを増加することができる。ある実施例では、仮に、フレームがうまくデコードされた場合であっても、設定点を増加することができる（これは、全ての良好なフレームについては、他の要因を考慮することなく同一の小さなステップによって設定点を減少させるという従来技術とは逆である。）。また仮に、リンク条件がおおよそ予想通りであるとメトリックが示す場合には、目標Ｅｂ／Ｎｔを維持することができる（すなわち、変化無し）。
【００９１】
設定点は、以下に基づく異なる量で調整されうる。すなわち、（１）フレーム状況、（２）メトリックの値、（３）電力過剰／電力不足の量、（４）設定点過剰／設定点不足の量、（５）その他の要因およびこれらの組み合わせである。仮に、リンク条件が予想よりも良いとメトリックが表示している場合（たとえば、極めて低い再エンコードＳＥＲ、極めて高い再エンコード電力メトリック、大きな値のＬＬＲなど）には、目標Ｅｂ／Ｎｔを大幅に減少させることが可能である。また仮に、フレームが正しくデコードされたものの、デコーダメトリックがその結果の信頼度を低く表示している場合には、メトリックの実際の値と望ましい電力制御特性に基づいて、目標Ｅｂ／Ｎｔをわずかな量のみ減少させることが可能である。また場合によっては増加させることも可能である。
【００９２】
ある実施例では、良好なフレームに対する設定点の減少ステップサイズは、以下に示す式（２）にしたがって得られる。
【数３】
2005503044.tif 000003
【００９３】
ここで、ΔＳＰＧは、良好なフレームに対する設定点のステップサイズである。Ｋ１およびＫ２は、望ましい電力制御特性を達成するために選択された定数である。Ｃｆは、有効なメトリックに関連し、有効なメトリックから得られる信頼度ファクタである。Ｓは、フレーム状況と電力過剰／不足に関連するスケーリングファクタである。Ｋ１とＫ２とは正の値であり、Ｋ２はＫ１よりも小さな値である。Ｋ１とＫ２とは、図９（ａ）に示すように、各メトリックに対するヒストグラムに基づいて生成されうる。
【００９４】
消去されたフレームに対する設定点ステップサイズのために、類似した式がまた定義されうる。同じであるかまたはそれぞれ異なる定数Ｋ１、Ｋ２と、スケーリングファクタＳとは、良好なフレームに対して使用されうる。
【００９５】
ここで記載された電力制御技術はまた、複数のトラフィックチャンネルの送信電力の制御にもまた使用されうる。いくつかの更に新しい世代のＣＤＭＡシステム（例えばｃｄｍａ２０００やＷ−ＣＤＭＡシステム）では、高速データ送信をサポートするべく、より大きな量のデータ及び／又は異なるタイプのデータを送信するために、複数のトラフィックチャンネルが同時に用いられる。これらのトラフィックチャンネルは、異なるデータレートによるデータの送信に使用されたり、更に異なる処理（例えばエンコード）を利用する。一般的に、所定の最大ビットレート（たとえば８００ｂｐｓ）が、トラフィックチャンネルの電力制御のために各遠隔端末に割り当てられる。その後、この割り当てられたビットレートは、これらトラフィックチャンネルで受信された送信について測定された信号品質を示す送信メッセージ／コマンドとして使用される。その後、これらのメッセージ／コマンドは、トラフィックチャンネル用の電力制御を行うために使用される。
【００９６】
同時電力制御多重トラフィックチャンネルの技術は、特許文献３に詳細に記載されている。特許文献３の発明は、本願発明の譲受人に譲渡されており、本明細書で引用して援用する。仮に、複数の電力制御ループが、複数のトラフィックチャンネルに対して維持されている場合（例えばｃｄｍａ２０００システムにおける基礎チャンネルと補足チャンネルのように）には、「差分」電力制御機構が使用されうる。この差分電力制御のために、第１のトラフィックチャンネルに対する設定点は、上述したような様々なファクタに基づいて調整され、第２のトラフィックチャンネルに対する設定点は、第１のトラフィックチャンネルに関連して調整されうる。第２のトラフィックチャンネルに対する設定点（例えば補足チャンネル）は、第１のトラフィックチャンネルに対する設定点に関連したノミナルな差分値に初期化される。その後、送信器ユニットは、２つのトラフィックチャンネルに対し、固定された電力差を使用する。受信器ユニットは、ここで記載された方法にしたがって１つまたは両方のトラフィックチャンネルに対する設定点を調整し、トラフィックチャンネル間で用いる適切な電力差分を送信器ユニットに通知する。この通知は、定期的にまたは不定期的（例えば、前回の通知値からの差分変化が、所定の閾値を超えた場合）に実施することができる。
【００９７】
このように、ここで記載された電力制御技術は、不連続的な送信にもまた使用することができる。仮に、チャンネルがトラフィック負荷を搬送していないが、上記の送信された信号を知っている場合（例えば、ｃｄｍａ２０００やＷ−ＣＤＭＡシステムで使用されているパイロットチャンネルまたはパイロットシンボル）には、受信器ユニットは、受信信号品質を、所定の時間間隔にわたって測定することができる。この所定の時間間隔は、トラフィックチャンネルフレームに対する時間間隔に等しいこともあり得る。仮に、順方向エラー補正コードが実行された場合には、連続した電力測定によって、既知のコードワードの様々なセグメントをスケーリングすることによって、「バーチャルな」フレームが形成されうる。仮に、信号品質が有効であれば、疑似ランダムノイズサンプルが生成され、デコード前に既知のコードワードに追加される。その結果得られるデコーダメトリックは、その後、設定点を調整するために用いられる。
【００９８】
例えば仮に、あるセグメントに対するＥｂ／ＮｔがｘｄＢである場合には、１．０に規格化された電力は、このセグメントにおける信号に対して使用され、疑似ランダム数生成器は、変動−ｘｄＢを用いたノイズサンプルを生成するために用いられる。このノイズサンプルは、１の電力を持つ信号に追加される。この信号の各セグメントは、このようにして、受信器に送られたリンクの信号とノイズとを考慮することによって形成される。この既知のフレームはその後、逆インタリーブされ、デコードされる。その後、デコーダのメトリックは、必要であれば、上述されたような手順にしたがって設定点を調整するために使用される。
【００９９】
その後、受信器ユニットにおけるデコーダは、バーチャルフレームをデコードし、消去、再エンコードＳＥＲ、再エンコード電力メトリック、修正ヤマモトメトリック、ターボデコードに対してなされた繰り返し数（Ｎ個の不良ビットの最小値または平均値）、ターボデコードに対するＬＬＲなどといった様々なメトリックを提供する。その後、設定点は、メトリックに基づいて調整される。仮に、トラフィックチャンネルにおいて、静かな時間内に電力制御チャンネル（例えば、ｃｄｍａ２０００システムにおける順方向または逆方向の電力制御サブチャンネル）が存在する場合には、このチャンネルは、電力過剰／電力不足を評価するために使用されうる。この電力過剰／電力不足は、その後、設定点の調整を再定義するために用いられる。
【０１００】
パイロット参照と不連続送信とに基づく電力制御を実行するテクニックは、特許文献４乃至６に詳細に記載されている。特許文献４乃至６の発明は、本願発明の譲受人に譲渡されており、本明細書で引用して援用する。
【０１０１】
図３に示すように、順方向リンク電力制御において、復調器３２４（あるいは、ＲＦ受信器ユニット３２２からも可能であるが）からのサンプルは、受信された送信の品質を評価するＲＸ信号品質測定ユニット３３８に提供される。受信信号品質は、例えば特許文献７乃至９に詳細に記載されているような種々の技術を使って評価することができる。なお、特許文献７乃至９の発明は、本願発明の譲受人に譲渡されており、本明細書で引用して援用する。
【０１０２】
電力制御プロセッサ３４０は、受信信号品質を受信し、この受信信号品質を、処理されているトラフィックチャンネルの設定点と比較する。そして、順方向リンクを経由して、電力制御サブチャンネルにおける適切な応答電力制御コマンド（例えば、増加／減少コマンド、またはその他のタイプのコマンド）を基地局に送信する。
【０１０３】
電力制御プロセッサ３４０はまた、ＣＲＣチェッカ３３２からのフレーム状況と、各デコードフレームに対する１つ以上のメトリックとを取得する。デコードフレームとしては、例えば検出器３３６からの再エンコードＳＥＲと再エンコード電力メトリック、ヤマモト検出器３３０からのヤマモトメトリック、悪化したデコードビットのＬＬＲ、およびデコーダ３２８からの繰り返し数、またはそれらの組み合わせがある。各デコードフレームに対し、電力制御プロセッサ３４０は、フレーム状況、メトリック、及び／又はプロセッサ３４０に有効な付加情報（例えば電力過剰／電力不足、設定点過剰／設定点不足）に基づいて設定点を更新する。
【０１０４】
逆方向リンクでは、データは、送信（ＴＸ）データプロセッサ３４２によって処理（例えば、フォーマット、エンコード）され、更に変調器（ＭＯＤ）３４４によって処理（例えば、カバー、展開）され、ＲＦ  ＴＸユニット３４６によって処理（例えば、アナログ信号への変換、増幅、フィルタリング、直交変調など）されることによって、逆方向リンク信号が生成される。電力制御プロセッサ３４０からの電力信号情報は、ＴＸデータプロセッサ３４２または変調器３４４によって多重化される。逆方向リンク信号は、デュプレクサ３１４を介してルーティングされ、アンテナ３１２を介して１つ以上の基地局１０４へと送信される。
【０１０５】
図２に示すように、逆方向リンク信号はアンテナ２２４によって受信され、デュプレクサ２２２を介してルーティングされ、ＲＦ受信器ユニット２２８に提供される。ＲＦ受信器ユニット２２８は、受信信号を処理（例えばダウンコンバート、フィルタリング、および増幅）し、処理した逆方向リンク信号を、受信された各遠隔端末に対して提供する。チャンネルプロセッサ２３０は、処理された信号を受信し、所定の遠隔端末が、送信されたデータと電力制御情報とをリカバできるように処理する。電力制御プロセッサ２１０は、電力制御情報（例えば、電力制御コマンド、消去表示ビット、および品質表示ビットによる任意の組み合わせ）を受信し、１つ以上の信号を生成する。生成された信号は、遠隔端末への１つ以上の送信の送信電力を調整するために用いられる。
【０１０６】
図３では、電力制御プロセッサ３４０は、図４に記載されている内部および外部ループの一部を適用している。内部ループでは、電力制御プロセッサ３４０は、受信信号品質測定値を受信し、電力制御コマンドのシーケンスを送信する。これは、電力制御サブチャンネルを経由して逆方向リンクで送信される。外部ループでは、電力制御プロセッサ３４０がフレーム状況とメトリックを受信し、遠隔端末用に設定点を調整する。図２に示すように、電力制御プロセッサ２１０もまた、上述された電力制御ループの一部を適用している。電力制御プロセッサ２１０は、電力制御サブチャンネルに基づいて電力制御情報を受信し、遠隔端末へなされる１つ以上の送信の送信電力を調整する。
【０１０７】
この電力制御技術は、様々な方法によって適用することが可能である。例えば、この電力制御は、ハードウェア、ソフトウェア、あるいはこれらの組み合わせによって適用することが可能である。ハードウェアに適用する場合には、電力制御に使用される要素は、１つ以上のアプリケーション専用に集積された回路（ＡＳＩＣ）、デジタル信号プロセッサ（ＤＳＰ）、プログラマブル論理デバイス（ＰＬＤ）、コントローラ、マイクロコントローラ、マイクロプロセッサ、上記した機能を実現するように設定された他の電子ユニット、またはこれらの組み合わせに実装することができる。
【０１０８】
ソフトウェアに適用する場合には、電力制御に用いられる要素は、ここで記載された機能を実現するモジュール（例えば処理、機能等）内に実装することが可能である。ソフトウェアコードは、メモリユニットに格納され、プロセッサ（例えば電力制御プロセッサ２１０、３４０）によって実行される。
【０１０９】
明確化のために、本発明の電力制御に係る様々な局面、実施例、および特徴が、順方向リンクに関して具体的に記載された。これら電力制御技術の多くはまた、逆方向リンク電力制御に対しても有利に適用されうる。例えば、１つ以上の逆方向リンク送信に対する設定点は、上述したように、フレーム状況、１つ以上のメトリック、電力過剰／電力不足、設定点過剰／設定点不足、またはそれらの組み合わせに基づいて調整される。
【０１１０】
好適な実施例の上述した記載は、いかなる当業者であっても、本発明の活用または利用を可能とするようになされている。これらの実施例への様々な変形例もまた、当業者に対しては明らかであって、ここで定義された一般的な原理は、発明的な能力を要すことなく他の実施例にも適用されうる。このように、本発明は、上記で示された実施例に制限されるものではなく、ここで記載された原理と新規の特徴に一致した広い範囲に相当するものを意図している。
【図面の簡単な説明】
【０１１１】
【図１】多くのユーザをサポートする拡散スペクトル通信システムの一例を示す図。
【図２】基地局の実施例を示すブロック図。
【図３】遠隔端末の実施例を示すブロック図。
【図４】本発明のある局面および実施例に適用可能な順方向リンク電力制御機構の一例を示す図。
【図５】消去されたフレームに対し大きな増加ステップを利用し、良好なフレームに対して小さな減少ステップを適用するような設定点調整スキームの一例を示す図。
【図６】典型的な送信における送信電力と電力過剰の一例を示す図。
【図７】本発明の一実施例に対応する設定点の調整方法の一例を示すフロー図。
【図８】（スケールファクタ）対（電力過剰）のプロットを示す図（（ａ）は受信されたフレームが消去された場合、（ｂ）は正しくデコードされた場合）。
【図９】設定点過剰／設定点不足に対するメトリック毎の確率を示すヒストグラムの一例（ａ）と、（ａ）に示すヒストグラムに対応した設定点ステップサイズを示す図（ｂ）。
【符号の説明】
【０１１２】
１００…拡散スペクトル通信システム、１０２…システムコントローラ、１０４…基地局、１０６…遠隔端末、２１０，３４０…電力制御プロセッサ、２１２…周期的冗長性チェック（ＣＲＣ）生成器、２１４…エンコーダ、２１６…インタリーバ、２１８，３４４…変調器、２２０，３４６…ＲＦ送信器ユニット、２２２…デュプレクサ、２２４，３１４…アンテナ、２２８，３２２…ＲＦ受信器ユニット、２３０…チャンネルプロセッサ、３１４…デュプレクサ、３２４…復調器、３２６…逆インタリーバ、３２８…デコーダ、３３０…ヤマモト検出器、３３２…ＣＲＣチェッカ、３３４…再エンコーダ、３３６…ＳＥＲ／相関検出器、３３８…ＲＸ信号品質測定ユニット、３４２…送信データプロセッサ、４００…順方向リンク電力制御機構、４１０…内部ループ、４２０…外部ループ、５１０…鋸刃波形